(57)【要約】【課題】カップ本体の内部に収納した撒餌の投入時に、カップ本体からの餌離れを良好なものとしながら、投入方向のコントロールを容易とし、的確に目的位置に撒餌を投入可能とすることにより、集魚効果を高める。【解決手段】一端にヒシャク柄２の取付部３を設けたカップ本体１に於いて、このカップ本体１の内面に、取付部３側に複数の弧状凸部５を連続的に突設した凹凸域７を設ける。また、カップ本体１の内面で取付部３とは反対の先端側には、弧状凸部５を形成しない平滑部８を設ける。【選択図】図１
2005058034.tif 000002
【特許請求の範囲】
【請求項１】
一端にヒシャク柄の取付部を設けたカップ本体に於いて、このカップ本体の内面に、取付部側に複数の弧状凸部を連続的に突設した凹凸域を設けるとともに、カップ本体の内面で取付部とは反対の先端側には、弧状凸部を形成しない平滑部を設けたことを特徴とする、釣り撒餌用ヒシャクのカップ。
【請求項２】
平滑部との凹凸域の境界部には、カップ本体の先端方向に長尺な長円形状の弧状凸部を複数個配置したことを特徴とする、請求項１の釣り撒餌用ヒシャクのカップ。
【請求項３】
平滑部と凹凸域の境界部は、凹凸域が平滑部側に凹状に分布するよう配置したことを特徴とする、請求項１または２の釣り撒餌用ヒシャクのカップ。
【請求項４】
平滑部と凹凸域の境界部は、凹凸域が平滑部側に凸状に分布するよう配置したことを特徴とする、請求項１または２の釣り撒餌用ヒシャクのカップ。
【請求項５】
平滑部と凹凸域の境界部は、凹凸域と平滑部とが水平に分布するよう配置したことを特徴とする、請求項１または２の釣り撒餌用ヒシャクのカップ。
【請求項６】
凹凸域は、カップ本体の内表面積の３０％〜７０％に形成するとともに、平滑部は、カップ本体の内表面積の７０％〜３０％とすることを特徴とする、請求項１、２、３、４または５の釣り撒餌用ヒシャクのカップ。
【請求項７】
カップ本体内面は、開口面から内面の最大深さＨを１とした時、開口面の最大幅Ｗを１．７〜２．３、取付部側から先端側の最大長Ｔを２．０〜３．０としたことを特徴とする、請求項１、２、３、４、５または６の釣り撒餌用ヒシャクのカップ。
【発明の詳細な説明】
【技術分野】
【０００１】
本発明は、釣りにおいて、コマセなどの集魚餌を掬い、釣り場の目的部に投入するための釣り撒餌用ヒシャクに関するものであって、集魚餌の一定場所への正確な投入を行うことを目的としたものである。
【背景技術】
【０００２】
従来より、仕掛けの投入位置付近にオキアミ、イワシミンチなどの撒餌をばらまいて集魚効果を高める集魚方法が知られている。このように、撒餌を海中にばらまく方法の一つとして、撒餌をヒシャクで掬い取って目的位置に投入する方法が存在する。この方法は、釣り人の手を汚すことなく、一定量の撒餌を遠方に投入することができるという利点を有しており、特許文献１に記載の如き撒餌用ヒシャクが知られている。
【０００３】
特許文献１に記載の発明は、カップの中心に蓋体を有する貫通孔を１箇所形成するとともに、カップの内面には、十字形の凹溝、弧状凹部が設けられている。また、中央部付近には、平滑な大きな間隔を設けて凸部が複数箇所形成されている。そして、粉末状の配合飼料を混合して撒餌を団子状に形成して用いる場合は、貫通孔を開口した状態でヒシャクを使用する。これは、空気が貫通孔から凹溝、弧状凹部に入り込むことにより、この撒餌を投入する際のカップ内面からの餌離れを良好にするためである。更に、平滑な大きな間隔を設けてカップの内面に弧状凸部を設けることにより、餌離れを良くすることを目的としている。
【特許文献１】特許第３０４８８９３号公報
【発明の開示】
【発明が解決しようとする課題】
【０００４】
しかしながら、このような釣り用ヒシャクは、カップに蓋体を取り付けるとともに、弧状凸部の他にも貫通孔、十字型の凹溝及び弧状凹部等をカップに形成しなければならず、構造を複雑にするとともにカップの製造に手間を要し、製造コストが高いものとなる。また、上記のごとく、カップに設けた貫通孔を蓋体にて閉止したり開口したりしなければならず、釣行時においても手間を要していた。また、弧状凸部は平滑で大きな間隔を設けているため、この部分に撒餌が付着しやすいものとなり、餌離れを悪いものとする可能性が高いものであった。また、カップ内面の開口部周辺は平滑部が形成されており、弧状凸部はカップ内面の中央部付近にほぼ均等に配置されているため、撒餌を投入する際の方向付けが困難となることが予想される。
【０００５】
本発明は、上述のごとき課題を解決しようとするものであって、カップ内面に弧状凸部のみを連続的に複数形成して成るものであるため、製造に手間がかからず、製造コストを低廉にすることを可能とするものである。また、カップ内面の取付部側に弧状凸部を形成した凹凸域を設けるとともに、先端側に弧状凸部を形成しない平滑部を設けることにより、投入時においてカップ内面からの餌離れを良好にしながら、撒餌の投入方向を確実にコントロールし、カップ内に収納した撒餌をより正確に目的位置に投入可能とすることにより、集魚効果を向上させることを可能とするものである。
【課題を解決するための手段】
【０００６】
本発明は、一端にヒシャク柄の取付部を設けたカップ本体に於いて、このカップ本体の内面に、取付部側に複数の弧状凸部を連続的に突設した凹凸域を設けるとともに、カップ本体の内面で取付部とは反対の先端側には、弧状凸部を形成しない平滑部を設けて成るものである。
【０００７】
また、平滑部との凹凸域の境界部には、カップ本体の先端方向に長尺な長円形状の弧状凸部を複数個配置したものであってもよい。
【０００８】
また、平滑部と凹凸域の境界部は、凹凸域が平滑部側に凹状に分布するよう配置したものであってもよい。
【０００９】
また、平滑部と凹凸域の境界部は、凹凸域が平滑部側に凸状に分布するよう配置したものであってもよい。
【００１０】
また、平滑部と凹凸域の境界部は、凹凸域と平滑部とが水平に分布するよう配置したものであってもよい。
【００１１】
また、平滑部と凹凸域の境界部は、凹凸域が平滑部側に凸状に分布するよう配置した
【００１２】
また、凹凸域は、カップ本体の内表面積の３０％〜７０％に形成するとともに、平滑部は、カップ本体の内表面積の７０％〜３０％としたものであってもよい。
【００１３】
また、カップ本体内面は、開口面から内面の最大深さＨを１とした時、開口面の最大幅Ｗを１．７〜２．３、取付部側から先端側の最大長Ｔを２．０〜３．０としたものであってもよい。
【発明の効果】
【００１４】
本発明は、カップ内面に弧状凸部のみを連続的に複数形成した凹凸域を設けるとともに、先端側に弧状凸部を形成しない平滑部を設けることにより、投入時において凹凸域におけるカップ内面からの餌離れを良好にし、このカップ内面から剥離した撒餌を投入方向先端の平滑部にて滑らせながら、撒餌の投入方向を確実にコントロールし、カップ内に収納した撒餌を正確に目的位置に投入可能とすることができる。また、投入時の初期に凹凸域から撒餌が剥離した後に平滑部でこの剥離した撒餌を滑らせるものであるから、投入抵抗を少なくしながら確実なコントロールを可能とし、遠投を行うことを可能としている。また、構造が簡易であるから製造に手間がかからず、製造コストを低廉なものとすることが可能となる。
【実施例１】
【００１５】
本発明の第１実施例を図１及び図２において説明すると、（１）はカップ本体で、長径Ｔ方向の基端部には、ヒシャク柄（２）を取り付けるための取付部（３）が突出形成されている。また、カップ本体（１）内面の取付部（３）側には、開口縁（４）から底中心部にかけて、弧状凸部（５）を隣接して連続的に配置した凹凸域（７）を設けている。この弧状凸部(５)は、最大形成幅よりも狭い形成間隔で弧状凸部（５）を連続的に配置して、凹凸域（７）を設けたものである。
【００１６】
また、カップ内面の取付部（３）とは反対側の先端部側には、弧状凸部（５）を形成しない平滑部（８）を設けている。そして、平滑部（８）と凹凸域（７）との境界部は、凹凸域（７）が水平に分布するよう配置されており、平滑部（８）と凹凸域（７）との境界部の中央部付近には、図１に示す如く、カップ本体（１）の先端方向に長尺な長円形状の２個の弧状凸部（５）を、左右対称に先端を平滑部（８）に突出して配置している。
【００１７】
また、このように形成したカップ（６）は、図１に示す如く、釣行時において取付部（３）にヒシャク柄（２）を接続して用いるものである。このヒシャク柄（２）のカップ（６）とは反対側の他端には、釣り人が握るための把持部（１０）が形成されている。なお、本実施例では図１に示すようなヒシャク柄（２）を用いているが、他の実施例においてはこれに限らず、この取付部（３）に接続可能なヒシャク柄（２）であれば特に限定するものではない。
【００１８】
上記の如く構成した釣り撒餌用ヒシャク（１１）において、カップ本体（１）内に撒餌（１２）を収納した場合、図５に示す如く、凹凸域（７）の弧状凸部（５）が近接して連続的に設けられているため、弧状凸部（５）の間隔に撒餌（１２）が入り込まずこの間隔に空間が生じる。そのため、カップ本体（１）内に撒餌（１２）を収納した状態で、釣り撒餌用ヒシャク(１１)の把持部(１０)を保持して投入動作を行う事により、遠心力により撒餌（１２）はカップ本体（１）の内面から剥離して放出される。
【００１９】
本実施例ではカップ本体（１）内に弧状凸部（５）から成る凹凸域（７）を形成しているから、内面を平滑としたカップ本体（１）内に撒餌（１２）を収納する場合と比較して、撒餌（１２）がカップ本体（１）の内面に接触する面積が小さくなり、撒餌（１２）の投入時のカップ本体（１）内面からの餌離れが良好なものとなる。その結果、粘着性の強い撒餌（１２）など、餌離れのしにくい撒餌（１２）であっても餌離れのよい投入が可能となる。しかしながら、この弧状凸部（５）から成る凹凸域（７）をカップ本体（１）内の全面に形成すると、投入動作の遠心力により取付部(３)方向の凹凸域（７）から剥離した撒餌（１２）がカップ本体（１）の先端方向に移動したときに、先端方向に形成されている弧状凸部（５）に引っ掛かり、撒餌（１２）が釣り撒餌用ヒシャク(１１)使用者の意向に添った方向に放出する事は出来ないものとなる。
【００２０】
しかし本実施例では、カップ本体（１）内面の先端部側に平滑部（８）を設けることにより、撒餌（１２）の投入動作に伴う遠心力によって、カップ本体（１）内面の凹凸域（７）で剥離した撒餌（１２）は先端方向に移動する。この移動時に、撒餌(１２)は平滑部（８）に移動し、この撒餌（１２）が平滑部(８)に於いて、投入方向に向かって引っ掛かりを生じることなく滑り出ることから、カップ（６）内に収納した撒餌（１２）を確実に先端方向に摺動することができ、コントロールが容易で、従来品より遠方への投入が可能となる。
【００２１】
また、平滑部（８）と凹凸域（７）との境界部の中央部付近に設けた長円形状の弧状凸部（５）は、撒餌（１２）の投入時に、釣り人がこの長円形状の弧状凸部（５）の突出方向に、カップ本体（１）内に収納した撒餌（１２）を投入するよう意識させるという役割を果たしている。そのため釣り人は、目的位置への撒餌（１２）の的確な投入をイメージしながら、撒餌（１２）の投入を行うことが可能となる。
【実施例２】
【００２２】
また、上記実施例１では平滑部（８）と凹凸域（７）の境界部を、凹凸域（７）が水平に分布するよう配置しているが、本発明の実施例２では図３に示すごとく、平滑部（８）と凹凸域（７）の境界部を、凹凸域（７）が平滑部（８）側に凹状に分布するよう配置している。従って、カップ本体（１）内に収納された撒餌（１２）は、弧状凸部（５）が設けられた凹凸域（７）で餌離れが良好となることから、カップ本体（１）内面において弧状凸部（５）が多く突設されている左右の開口縁（４）側から撒餌（１２）が剥離する。
【００２３】
このように凹凸域（７）の左右開口縁（４）側から剥離した撒餌（１２）は、それぞれカップ本体（１）の先端中心方向に向かって平滑部（８）を摺動し、この平滑部（８）から滑り出て、最終的に、カップ本体（１）の先端方向の一点に集中した状態で投入される。そのため、カップ本体（１）内に収納した撒餌（１２）を放射状に広く分散させることなく、一点に集中して投入することが可能となるため、本実施例におけるカップ（６）は、目的位置を一点に絞って撒餌（１２）を投入することにより、集魚効果の向上が期待できる場合の使用に適したものとなる。
【実施例３】
【００２４】
また、本発明の実施例３を図４において説明すれば、平滑部（８）と凹凸域（７）の境界部は、凹凸域（７）が平滑部（８）側に凸状に分布するよう配置している。従って、カップ本体（１）内面のうち、弧状凸部（５）が最も多く設けられたカップ本体（１）内面の中央部側から撒餌（１２）がカップ本体（１）の開口縁（４）方向に放射状に剥離し、この剥離した撒餌（１２）が、開口縁（４）の周辺に広く設けられた平滑部（８）を摺動するとともに、この平滑部（８）から放射方向に滑り出て、最終的には放射方向に拡散しながら投入される。そのため、カップ本体（１）内に収納した撒餌（１２）を広範囲に投入することが可能となるため、本実施例におけるカップ（６）は、撒餌（１２）を広範囲に投入することにより、集魚効果の向上が期待できる場合の使用に適したものとなる。なお、これら実施例１、２、３に記載のカップ（６）は、集魚目的、対象魚等により適宜選択使用することができるものである。
【００２５】
また、実施例１から実施例３において、カップ本体（１）の内表面積に対する凹凸域（７）及び平滑部（８）の割合は各々異なっているが、凹凸域（７）をカップ本体（  １）の内表面積の３０％〜７０％に形成するとともに、平滑部（８）を、カップ本体（  １）の内表面積の７０％〜３０％に形成するものであればよい。
【００２６】
また、本実施例におけるカップ本体（１）は、上述のごとく餌離れを良好なものとしているから、カップ本体（１）の深さを深くしても、投入時の餌離れが良く引っ張り等を生じることがない。例えば、カップ本体（１）内面を、図２に示す開口面から内面の最大深さHを１とした時、図３に示す開口面の最大幅Ｗを１．７〜２．３、図２に示す取付部（３）側から先端側の最大長さＴを２．０〜３．０とし、カップ本体（１）の深さを大きくすることにより、容積が大きく表面積の小さな状態、例えば、球形に近い形状で撒餌（１２）を投入できるため、風が強い場合や、遠方に投入する場合も、投入した撒餌（１２）が途中で分解したり、風に流されることが少ないものとなり、撒餌（１２）をより的確に目的位置に投入することが可能となる。なお、カップ本体（１）が浅い場合は、投入した撒餌（１２）が扁平となるため、途中で分散したり、風に流されて目的以外の場所に投入されることが多いものとなる。
【００２７】
また、実施例１から実施例３において、カップ（６）をＡＢＳ樹脂にて形成しているが、他の実施例においてはこれに限らず、撒餌（１２）や海水によって腐食・劣化が生じるものでなければ、チタン合金など、様々な種類の金属又は樹脂その他の材料を使用することが可能である。
【図面の簡単な説明】
【００２８】
【図１】本発明の実施例１を示す、釣り撒餌用ヒシャクの平面図。
【図２】釣り撒餌用ヒシャクのカップの断面図。
【図３】本発明の実施例２を示す、釣り撒餌用ヒシャクのカップの平面図。
【図４】本発明の実施例３を示す、釣り撒餌用ヒシャクのカップの平面図。
【図５】釣り撒餌用ヒシャクのカップ内に撒餌を収納した状態を示す部分拡大断面図。
【符号の説明】
【００２９】
１  カップ本体
２  ヒシャク柄
３  取付部
５  弧状凸部
７  凹凸域
８  平滑部
【図１】
2005058034.tif 000003
【図２】
2005058034.tif 000004
【図３】
2005058034.tif 000005
【図４】
2005058034.tif 000006
【図５】
2005058034.tif 000007